【手続補正書】
【提出日】平成16年4月1日(2004.4.1)
【手続補正１】
【補正対象書類名】明細書
【補正対象項目名】発明の名称
【補正方法】変更
【補正の内容】
【発明の名称】蓄電池駆動をする記憶担体の充電と記憶情報を引き出す装置


【手続補正２】
【補正対象書類名】明細書
【補正対象項目名】特許請求の範囲
【補正方法】変更
【補正の内容】
【特許請求の範囲】
【請求項１】
蓄電池駆動をする記憶担体に対して接続され、該記憶担体の記憶情報を引き出せる通信接続プロトコルへ受け渡すための端子と、
蓄電池駆動をする記憶担体に対して接続され、該記憶担体の蓄電池に対して充電するための端子と、
を備え、
該両端子が同時に抜き差しできるように一体的に構成され、
該記憶担体の蓄電池に対する充電動作中に、該記憶担体の記憶情報を引き出せるようにした、
ことを特徴とする充電と記憶担体の記憶情報の引き出しを同時にできるようにした装置。
【請求項２】
蓄電池駆動をする記憶担体に対して接続され、該記憶担体の記憶情報を引き出せる通信接続プロトコルへ受け渡すための端子と、
蓄電池駆動をする記憶担体に対して接続され、該記憶担体の蓄電池に対して充電するための端子と、
該両端子が同時に抜き差しできるように一体的に構成されるとともに、充電器本体の上側に突出して設けられ、
該一体的に構成された該両端子に向かって該記憶担体側の接続対応する端子が案内されるように、該記憶担体固有の外形に対応した形状を備えた案内部材と、を備え、
該記憶担体の蓄電池に対する充電動作中に、該記憶担体の記憶情報を引き出せるようにした、
ことを特徴とする記憶担体の記憶情報の引き出しを可能にした充電器。
【請求項３】
該充電器内部にメモリ装置を備え、該メモリ装置が該記憶担体の記憶情報を引き出せる通信接続プロトコルと接続される端子からの信号を記憶するようにした請求項２に記載の充電器。
【請求項４】
蓄電池駆動をする記憶担体に対して接続され、該記憶担体の記憶情報を引き出せる通信接続プロトコルへ受け渡すための端子と、
蓄電池駆動をする記憶担体に対して接続され、該記憶担体の蓄電池に対して充電するための端子と、
該両端子が同時に抜き差しできるように一体的に構成され、
該記憶担体の記憶情報を引き出せる通信接続プロトコルと接続される端子がパーソナルコンピュータと接続されて、該パーソナルコンピュータで該記憶担体の記憶情報を受け取れるようにした、システム。
【手続補正３】
【補正対象書類名】明細書
【補正対象項目名】０００４
【補正方法】変更
【補正の内容】
【０００４】
【課題を解決するための手段】
以上の問題点を解決するために本発明の充電と記憶担体の記憶情報の引き出しを同時にできるようにした装置では、蓄電池駆動をする記憶担体に対して接続され、該記憶担体の記憶情報を引き出せる通信接続プロトコルへ受け渡すための端子と、蓄電池駆動をする記憶担体に対して接続され、該記憶担体の蓄電池に対して充電するための端子とを備え、該両端子が同時に抜き差しできるように一体的に構成され、該記憶担体の蓄電池に対する充電動作中に、該記憶担体の記憶情報を引き出せるようにしたことを特徴としている。
また、別の特徴による本発明の記憶担体の記憶情報の引き出しを可能にした充電器は、蓄電池駆動をする記憶担体に対して接続され、該記憶担体の記憶情報を引き出せる通信接続プロトコルへ受け渡すための端子と、蓄電池駆動をする記憶担体に対して接続され、該記憶担体の蓄電池に対して充電するための端子と、該両端子が同時に抜き差しできるように一体的に構成されるとともに、充電器本体の上側に突出して設けられ、該一体的に構成された該両端子に向かって該記憶担体側の接続対応する端子が案内されるように、該記憶担体固有の外形に対応した形状を備えた案内部材とを備え、該記憶担体の蓄電池に対する充電動作中に、該記憶担体の記憶情報を引き出せるようにした、ことを特徴としている。
また、別の特徴による本発明のシステムでは、蓄電池駆動をする記憶担体に対して接続され、該記憶担体の記憶情報を引き出せる通信接続プロトコルへ受け渡すための端子と、蓄電池駆動をする記憶担体に対して接続され、該記憶担体の蓄電池に対して充電するための端子と、該両端子が同時に抜き差しできるように一体的に構成され、該記憶担体の記憶情報を引き出せる通信接続プロトコルと接続される端子がパーソナルコンピュータと接続されて、該パーソナルコンピュータで該記憶担体の記憶情報を受け取れるようにしたことを特徴としている。


【手続補正４】
【補正対象書類名】明細書
【補正対象項目名】００１３
【補正方法】変更
【補正の内容】
【００１３】
４台の携帯電話２および、各々対応するデータ送受信機能付充電器１が用意され、このデータ送受信機能付充電器１内には｛必要に応じて外部へ設けて）インターフェース手段Ｓ７が各々に設けられる。このインターフェース手段とは、複数種類の別のプロトコルで作動している携帯電話２に内臓されているメモリー部分へのアクセスを可能とする手段である（従存の技術を利用）。また、このインターフェース手段Ｓ７所望に応じて、携帯電話２と充電器１との嵌合関係を監視する制御手段としても機能させている。また、４つのインターフェース手段とパーソナルコンピュータＰとは、ラン接続がなされている。また、パーソナルコンピュータＰ内には、必然的にランを作動し得るソフト環境を持たせている（従存技術を採用、例えばウインドウズ９５（商標）等を利用）。
〔００１４〕
図７で示した装置におけるデータの受け渡しの状態を図８のブロック図により説明する。複数のインターフェースＳ７の出力は、各々イおよびロの２種類を備え目的に応じて異なる２種類のデータ出力環境を有している。これら２種類の出力環境イロは、例えば、“イ”が仕事関係のデータ出力であり、“ロ”がプライベートなデータ出力などとして利用することができ、この複数種類の扱いは、基本的にパーソナルコンピュータＰの司令に応じて、選択がなされる。また、各インターフェースと、パーソナルコンピュータＰとは、互いに連結され、例えば、コンピュータＰとインターフェース手段Ａとの相互データ移動、あるいは、インターフェース手段Ａとインターフェース手段Ｂとの相互データ移動等を可能としてる。さらに、この様なデータ移動は出力環境“イ群”、“ロ群”を分類してデータ処理を可能している。


【手続補正５】
【補正対象書類名】明細書
【補正対象項目名】００１５
【補正方法】変更
【補正の内容】
【００１５】
同８図において、図面の上方にＡ〜Ｄで記載したインターフェース手段Ｓ７は、データ送受信機能付充電器内に設けられたものである。従って、この図の場合、４台のデータ送受信機能付充電器が設けられている状態を示している。これらインターフェース手段Ｓ７からのデータ入出力は各々“イ”“ロ”の２種類設けられ、その“イ”の入出力は、装置Ｐのイ群中の選択手段Ｓ３と入出力関係を形成している。同様に、データ入出力“ロ”は、装置Ｐのロ群中の選択手段Ｓ３’と入出力関係を形成している。以上の関連付けは前述のランによってデータの往復が実現されており、また、その実際の接続状態は図７に示した通りであります。そのために、万が一装置Ｐが故障したり、あるいは省略した場合でも、例えば、隣り合うインターフェース手段Ｓ７同士で上記“イ”“ロ”のデータは相互に入出力関係を形成可能としている。このような場合、例えば１人で複数個の携帯電話を所有している場合、一方が他方のデータバックアップ用のメモリとして働かすことができ、もし、３台の携帯電話を持っている場合、２台の携帯電話のメモリに“イ”“ロ”の各々のデータをメモリし、利用する残りの一台の携帯電話に“イ”“ロ”の何れか一方のデータを送り返すように作業させることができる。


【手続補正６】
【補正対象書類名】明細書
【補正対象項目名】００３１
【補正方法】変更
【補正の内容】
【００３１】
このように構成された電話本体TPを受け入れるデータ送受信機能付充電器１は、図１〜図１０で説明してきた基本構成に加えて、更に電話本体TP側と個人情報をデジタル送受信を可能とする電磁誘導情報送受信部DJ１’と、電話本体TP側の電力用電磁誘導受信部DJ２に対して電力エネルギーを送る電力用電磁誘導送信部DJ２’および室内ＡＣコンセントへのケーブルを利用して、室内ＡＣ配線に対してラン接続を可能とするＡＣ配線用デジタル入出力回路ACLUN、を追加的に備えている。また、特に電話本体TP側と個人情報をデジタル送受信を可能とする電磁誘導情報送受信部DJ１’および、電話本体TP側の電力用電磁誘導受信部DJ２に対して電力エネルギーを送る電力用電磁誘導送信部DJ２’は、何れも、電話本体TPがデータ送受信機能付充電器１に設けられた、例えば図２で図示した案内部材1dのような電話本体TPを受け入れるポケット部分へ挿入がなされた条件でのみ機能するように、電磁誘導情報送受信部DJ１’および電力用電磁誘導送信部DJ２’は、充電器１の本体上の適切な位置に配置され（好ましくは、電磁誘導情報送受信部および電力用電磁誘導送信部は同一箇所とすることで、例えば、誘導コイルを共通とすることを可能とする等の利点が生まれ得る）、電話本体TPとデータ送受信機能付充電器１とが、離れているにも関わらず、希望をしない条件で電話本体TP側に対して個人情報のデジタル送受信が行われないように構成している（尚、上記電磁誘導情報送受信部DJ１およびDJ１’は、電磁誘導のみならず、光による双方向通信、微弱電波による双方向通信などとすることも可能である）。